(57)【要約】【課題】利用者の意図に応じてきめ細かくかつ柔軟に設定値を変更する。【解決手段】設定画面生成部１３が、設定値の範囲を示すレンジごとに設定値の増減幅が登録されているレンジ情報に基づいて、利用者端末で設定値を変更するための設定画面を生成し、端末処理部１４が、生成した設定画面を利用者端末２０に配信するようにしたものである。この際、設定画面生成部１３が、設定画面での増減操作に応じて、設定画面に表示されている新たな設定値が、新たな設定値が属するレンジと対応する増減幅で増減する設定画面を生成するようにしたものである。【選択図】  図１
2018179473.tif 000002
【特許請求の範囲】
【請求項１】
通信ネットワークを介して複数の利用者端末および設備制御システムと接続されて、前記利用者端末からの設定変更指示に応じて、前記設備制御システムが設備を制御する際に用いる設定値を変更する設定値変更装置であって、
前記設定値の範囲を示すレンジごとに前記設定値の増減幅が登録されているレンジ情報を記憶する記憶部と、
前記レンジ情報に基づいて前記利用者端末で前記設定値を変更するための設定画面を生成する設定画面生成部と、
前記設定画面を前記利用者端末に配信し、これに応じて前記利用者端末から返送された設定変更指示を受信する端末処理部と、
前記設備制御システムの前記設定値を、前記設定変更指示で指示された新たな設定値に変更する設定値変更部とを備え、
前記設定画面生成部は、前記設定画面での増減操作に応じて、前記設定画面に表示されている新たな設定値が、前記新たな設定値が属するレンジと対応する増減幅で増減する設定画面を生成する
ことを特徴とする設定値変更装置。
【請求項２】
通信ネットワークを介して設備制御システムと接続されて、表示した設定画面に対する利用者操作に応じて、前記設備制御システムが設備を制御する際に用いる設定値を変更する設定値変更装置であって、
前記設定値の範囲を示すレンジごとに前記設定値の増減幅が登録されているレンジ情報を記憶する記憶部と、
前記レンジ情報に基づいて前記設定値を変更するための設定画面を生成して表示する設定画面生成部と、
前記設備制御システムの前記設定値を、前記設定画面に対する利用者操作で指示された新たな設定値に変更する設定値変更部とを備え、
前記設定画面生成部は、前記設定画面での増減操作に応じて、前記設定画面に表示されている新たな設定値が、前記新たな設定値が属するレンジと対応する増減幅で増減する設定画面を生成する
ことを特徴とする設定値変更装置。
【請求項３】
請求項１または請求項２に記載の設定値変更装置において、
前記レンジ情報は、前記レンジとして、前記設定値が選択される頻度の高い第１のレンジと、前記第１のレンジ以外の第２のレンジとを含み、前記第１のレンジに対応する第１の増減幅として、前記第２のレンジと対応する第２の増減幅より小さい増減幅が登録されていることを特徴とする設定値変更装置。
【請求項４】
請求項１〜請求項３のいずれかに記載の設定値変更装置において、
前記レンジ情報は、利用者および／または設備ごとに、前記レンジと前記増減幅とが対応付けて登録されていることを特徴とする設定値変更装置。
【請求項５】
通信ネットワークを介して複数の利用者端末および設備制御システムと接続されて、前記利用者端末からの設定変更指示に応じて、前記設備制御システムが設備を制御する際に用いる設定値を変更する設定値変更装置で用いられる設定値変更方法であって、
記憶部が、前記設定値の範囲を示すレンジごとに前記設定値の増減幅が登録されているレンジ情報を記憶する記憶ステップと、
設定画面生成部が、前記レンジ情報に基づいて前記利用者端末で前記設定値を変更するための設定画面を生成する設定画面生成ステップと、
端末処理部が、前記設定画面を前記利用者端末に配信し、これに応じて前記利用者端末から返送された設定変更指示を受信する端末処理ステップと、
設定値変更部が、前記設備制御システムの前記設定値を、前記設定変更指示で指示された新たな設定値に変更する設定値変更ステップとを備え、
前記設定画面生成ステップは、前記設定画面での増減操作に応じて、前記設定画面に表示されている新たな設定値が、前記新たな設定値が属するレンジと対応する増減幅で増減する設定画面を生成するステップを含む
ことを特徴とする設定値変更方法。
【請求項６】
通信ネットワークを介して設備制御システムと接続されて、表示した設定画面に対する利用者操作に応じて、前記設備制御システムが設備を制御する際に用いる設定値を変更する設定値変更装置で用いられる設定値変更方法であって、
記憶部が、前記設定値の範囲を示すレンジごとに前記設定値の増減幅が登録されているレンジ情報を記憶する記憶ステップと、
設定画面生成部が、前記レンジ情報に基づいて前記設定値を変更するための設定画面を生成して表示する設定画面生成ステップと、
設定値変更部が、前記設備制御システムの前記設定値を、前記設定画面に対する利用者操作で指示された新たな設定値に変更する設定値変更ステップとを備え、
前記設定画面生成ステップは、前記設定画面での増減操作に応じて、前記設定画面に表示されている新たな設定値が、前記新たな設定値が属するレンジと対応する増減幅で増減する設定画面を生成するステップを含む
ことを特徴とする設定値変更方法。
【発明の詳細な説明】
【技術分野】
【０００１】
本発明は、設備制御システムが設備を制御する際に用いる設定値を変更する設定値変更技術に関する。
【背景技術】
【０００２】
設備を制御する設備制御システムでは、設備を制御する際に用いる設定値を変更する際、利用者が使用する利用者端末からの設定変更指示に応じて、新たな設定値に変更する技術が提案されている。
【０００３】
例えば、特許文献１は、空調設備を制御する空調制御システムで用いる部屋の設定温度を、利用者端末からの申告内容に応じて変更するようにしたものである。申告内容を利用者の冷温感覚に応じた「かなり暑い」、「暑い」、「快適」、「寒い」、「かなり寒い」の５段階に分けて、これら申告内容ごとに設定温度を予め割り当てておき、利用者端末から通知された申告内容と対応する設定温度を空調制御システムに設定するものとなっている。
【先行技術文献】
【特許文献】
【０００４】
【特許文献１】特開２０１２−００７８１３号公報
【発明の概要】
【発明が解決しようとする課題】
【０００５】
しかしながら、このような従来技術では、利用者の意図に応じてきめ細かく設定値を変更することができないという問題点があった。
例えば、特許文献１によれば、５段階に分けた申告内容ごとに設定温度を予め割り当てているため、これら申告内容で利用者の要望に応えるためには、「かなり暑い」と「かなり寒い」とで温度幅を持たせておく必要がある。したがって、この温度幅を５段階に分けた場合には、隣り合う段階の設定温度差が数℃分乖離することになるため、利用者の意図に応じてきめ細かく設定温度を変更することができないという問題点があった。
【０００６】
また、このような設定値のレンジには、設定値として選択される頻度の高いレンジが存在し、このようなレンジでは利用者がきめ細かく設定温度を変更し、この他のレンジでは大まかに設定温度を変更していることが推定される。したがって、一般的なエアコンで用いるリモコンのように、増減操作に応じて設定温度を変更する方法が考えられるが、この増減幅は固定であるため、利用者の意図に応じて柔軟に設定温度を変更することができないという問題点があった。
【０００７】
本発明はこのような課題を解決するためのものであり、利用者の意図に応じてきめ細かくかつ柔軟に設定値を変更できる設定値変更技術を提供することを目的としている。
【課題を解決するための手段】
【０００８】
このような目的を達成するために、本発明にかかる設定値変更装置は、通信ネットワークを介して複数の利用者端末および設備制御システムと接続されて、前記利用者端末からの設定変更指示に応じて、前記設備制御システムが設備を制御する際に用いる設定値を変更する設定値変更装置であって、前記設定値の範囲を示すレンジごとに前記設定値の増減幅が登録されているレンジ情報を記憶する記憶部と、前記レンジ情報に基づいて前記利用者端末で前記設定値を変更するための設定画面を生成する設定画面生成部と、前記設定画面を前記利用者端末に配信し、これに応じて前記利用者端末から返送された設定変更指示を受信する端末処理部と、前記設備制御システムの前記設定値を、前記設定変更指示で指示された新たな設定値に変更する設定値変更部とを備え、前記設定画面生成部は、前記設定画面での増減操作に応じて、前記設定画面に表示されている新たな設定値が、前記新たな設定値が属するレンジと対応する増減幅で増減する設定画面を生成するようにしたものである。
【０００９】
また、本発明にかかる他の設定値変更装置は、通信ネットワークを介して設備制御システムと接続されて、表示した設定画面に対する利用者操作に応じて、前記設備制御システムが設備を制御する際に用いる設定値を変更する設定値変更装置であって、前記設定値の範囲を示すレンジごとに前記設定値の増減幅が登録されているレンジ情報を記憶する記憶部と、前記レンジ情報に基づいて前記設定値を変更するための設定画面を生成して表示する設定画面生成部と、前記設備制御システムの前記設定値を、前記設定画面に対する利用者操作で指示された新たな設定値に変更する設定値変更部とを備え、前記設定画面生成部は、前記設定画面での増減操作に応じて、前記設定画面に表示されている新たな設定値が、前記新たな設定値が属するレンジと対応する増減幅で増減する設定画面を生成するようにしたものである。
【００１０】
また、本発明にかかる上記設定値変更装置の一構成例は、前記レンジ情報が、前記レンジとして、前記設定値が選択される頻度の高い第１のレンジと、前記第１のレンジ以外の第２のレンジとを含み、前記第１のレンジに対応する第１の増減幅として、前記第２のレンジと対応する第２の増減幅より小さい増減幅が登録されているものである。
【００１１】
また、本発明にかかる上記設定値変更装置の一構成例は、前記レンジ情報が、利用者および／または設備ごとに、前記レンジと前記増減幅とが対応付けて登録されているものである。
【００１２】
また、本発明にかかる設定値変更方法は、通信ネットワークを介して複数の利用者端末および設備制御システムと接続されて、前記利用者端末からの設定変更指示に応じて、前記設備制御システムが設備を制御する際に用いる設定値を変更する設定値変更装置で用いられる設定値変更方法であって、記憶部が、前記設定値の範囲を示すレンジごとに前記設定値の増減幅が登録されているレンジ情報を記憶する記憶ステップと、設定画面生成部が、前記レンジ情報に基づいて前記利用者端末で前記設定値を変更するための設定画面を生成する設定画面生成ステップと、端末処理部が、前記設定画面を前記利用者端末に配信し、これに応じて前記利用者端末から返送された設定変更指示を受信する端末処理ステップと、設定値変更部が、前記設備制御システムの前記設定値を、前記設定変更指示で指示された新たな設定値に変更する設定値変更ステップとを備え、前記設定画面生成ステップは、前記設定画面での増減操作に応じて、前記設定画面に表示されている新たな設定値が、前記新たな設定値が属するレンジと対応する増減幅で増減する設定画面を生成するステップを含むものである。
【００１３】
また、本発明にかかる他の設定値変更方法は、通信ネットワークを介して設備制御システムと接続されて、表示した設定画面に対する利用者操作に応じて、前記設備制御システムが設備を制御する際に用いる設定値を変更する設定値変更装置で用いられる設定値変更方法であって、記憶部が、前記設定値の範囲を示すレンジごとに前記設定値の増減幅が登録されているレンジ情報を記憶する記憶ステップと、設定画面生成部が、前記レンジ情報に基づいて前記設定値を変更するための設定画面を生成して表示する設定画面生成ステップと、設定値変更部が、前記設備制御システムの前記設定値を、前記設定画面に対する利用者操作で指示された新たな設定値に変更する設定値変更ステップとを備え、前記設定画面生成ステップは、前記設定画面での増減操作に応じて、前記設定画面に表示されている新たな設定値が、前記新たな設定値が属するレンジと対応する増減幅で増減する設定画面を生成するステップを含むものである。
【発明の効果】
【００１４】
本発明によれば、設定画面で操作選択する新たな設定値の増減幅を、レンジごとに任意に設定することができる。したがって、利用者の意図に応じてきめ細かくかつ柔軟に設定値を変更することが可能となる。
【図面の簡単な説明】
【００１５】
【図１】第１の実施の形態にかかる設定値変更装置の構成を示すブロック図である。
【図２】レンジ情報の構成例である。
【図３】ＰＣ用の設定画面の構成例である。
【図４】スマートホンやタブレット用の設定画面の構成例である。
【図５】第１の実施の形態にかかる設定値変更動作を示すシーケンス図である。
【図６】第２の実施の形態にかかる設定値変更装置の構成を示すブロック図である。
【図７】第２の実施の形態にかかる設定値変更動作を示すシーケンス図である。
【発明を実施するための形態】
【００１６】
次に、本発明の実施の形態について図面を参照して説明する。
［第１の実施の形態］
まず、図１を参照して、本発明の第１の実施の形態にかかる設定値変更装置１０について説明する。図１は、第１の実施の形態にかかる設定値変更装置の構成を示すブロック図である。
この設定値変更装置１０は、全体としてサーバ装置などの情報処理装置からなり、通信ネットワークＮＷを介して複数の利用者端末２０および設備制御システム５０と接続されて、利用者端末２０からの設定変更指示に応じて、設備制御システム５０が設備を制御する際に用いる設定値を変更する機能を有している。
【００１７】
利用者端末２０は、利用者が使用するＰＣ、スマートホン、タブレットなどの情報通信端末からなり、ＨＴＴＰなどの通信プロトコルに基づき通信ネットワークＮＷを介して設定値変更装置１０にアクセスするブラウザと、このブラウザを用いて設定値変更装置１０から配信された設定画面を画面表示する機能と、設定画面に対する利用者操作に応じて新たな設定値を含む設定変更指示を送信する機能とを有している。
【００１８】
設備制御システム５０は、予め設定されている設定値に基づいて、空調設備や照明設備などの設備を制御するシステムである。例えば、空調設備を制御する空調制御システムの場合には、予め設定されている設定温度に基づいて部屋の温度を制御する機能を有している。また、照明設備を制御する照明制御システムの場合には、予め設定されている設定照度に基づいて部屋の照明を制御する機能を有している。
以下では、設備制御システム５０が空調制御システムである場合を例として説明するが、本発明はこれに限定されるものではなく、照明制御システムなど、他の設備を制御する制御システムに対しても同様に適用できる。
【００１９】
［設定値変更装置］
次に、図１を参照して、設定値変更装置１０の構成について詳細に説明する。
設定値変更装置１０には、主な機能部として、通信Ｉ／Ｆ部１１、記憶部１２、設定画面生成部１３、端末処理部１４、および設定値変更部１５が設けられている。これら機能部のうち、設定画面生成部１３、端末処理部１４、および設定値変更部１５は、ＣＰＵとプログラムとが協働してなる演算処理部により実現されている。
【００２０】
通信Ｉ／Ｆ部１１は、通信ネットワークＮＷを介して利用者端末２０および設備制御システム５０とデータ通信を行う機能を有している。
記憶部１２は、ハードディスクや半導体メモリなどの記憶装置からなり、設定値変更装置１０で実行される設定値変更処理に用いる各種の処理情報やプログラムを記憶する機能を有している。記憶部１２で記憶する主な処理情報としてレンジ情報がある。
【００２１】
レンジ情報は、設定値の範囲を示すレンジと、当該レンジに属する設定値の増減幅とが対応付けて登録されているデータである。図２は、レンジ情報の構成例である。ここでは、利用者を識別するための利用者ＩＤと、部屋などの設備を識別するための設備ＩＤとの組み合わせごとに、設定値採り得る範囲を示すレンジと、当該レンジに属する設定値の増減幅とが、対応付けて登録されている。
【００２２】
例えば、図２の例では、２４．０℃〜２６．０℃のレンジおよび２８．０℃〜３０．０℃のレンジには増減幅として１．０℃が対応付けられている。このため、設定画面に表示されている新たな設定温度がこのレンジに属する場合には、設定画面における増減操作に応じて、１．０℃幅で増減することになる。また、２６．０℃〜２８．０℃のレンジには増減幅として０．５℃が対応付けられている。このため、設定画面に表示されている新たな設定温度がこのレンジに属する場合には、設定画面における増減操作に応じて、１．０℃幅で増減することになる。
【００２３】
なお、レンジと増減幅との対応関係を、各利用者および各設備で共通に使用する場合には、これら利用者ＩＤおよび設備ＩＤを省いてもよい。また、各利用者でのみ共通に使用する場合には利用者ＩＤのみを省けばよく、各設備でのみ共通に使用する場合には設備ＩＤを省けばよい。また、レンジ情報は、管理者が設定値変更装置１０で変更登録してもよく、利用者が利用者端末２０から変更登録できるようにしてもよい。
【００２４】
設定画面生成部１３は、通信Ｉ／Ｆ部１１を介して受信した利用者端末２０からの設定変更要求に応じて、記憶部１２からレンジ情報を取得し、このレンジ情報に基づいて、利用者端末２０で設定値を変更するための設定画面を生成する機能を有している。
図３は、ＰＣ用の設定画面の構成例である。設定画面は、例えばＨＴＭＬなどのマークアップ言語で記述されたハイパーテキストからなり、利用者端末２０のブラウザで画面表示される。ここでは、新たな設定温度を設定するための操作シンボルとしてスライダ（スライダＵＩ）が用いられており、マウスでスライダのカーソルを移動させることにより、その停止位置に応じて新たな設定温度が増減する。
【００２５】
この際、スライダには、候補値として停止位置ごとに設定温度が予め設定されており、図３の例では、スライダの左端位置には２４．０℃が設定されており、同じく右端位置には３０．０℃が設定されている。また、レンジ情報に基づいて、２４．０℃〜２６．０℃および２８．０℃〜３０．０℃の各レンジには、１．０℃幅で増減するよう、２５．０℃および２９．０℃に対応する停止位置がそれぞれ設けられている。また、２６．０℃〜２８．０℃のレンジには、０．５℃増減で増減するよう、２６，５℃、２７．０℃、２７．５℃に対応する位置に停止位置がそれぞれ設けられている。
【００２６】
また、図３の設定画面には、現在の室内温度と設定温度など、設備制御システム５０から取得した設備や設定値に関する状況が表示されており、利用者操作を検出するための操作シンボルとして、設定完了ボタンとキャンセルボタンとが配置されている。この設定完了ボタンの押下に応じて、スライダで選択した新たな設定温度を含む設定変更指示が利用者端末２０のブラウザから設定値変更装置１０に通知されることになる。また、キャンセルボタンの押下に応じて、設定温度の変更処理が中止される。
【００２７】
図４は、スマートホンやタブレット用の設定画面の構成例である。ここでは、新たな設定温度を設定するための操作シンボルとしてドラム（ドラムＵＩ）が用いられており、ドラムに対する上下スワイプ操作や上下ボタンに対するタッチ操作でドラムをロールさせることにより、その停止位置に応じて新たな設定温度が選択される。
【００２８】
この際、ドラムには、候補値として停止位置ごとに設定温度が予め設定されており、図４の例では、２５．０℃、２６．０℃、２６．５℃が候補値として表示されている。ドラムを下方へロールさせた場合には、２５．０℃から２４．０℃まで上端から順に候補値が現れ、ドラムを下方へロールさせた場合には、２６．５℃から３０．０まで下端から順に候補値が現れることになる。また、これら候補値については、レンジ情報に基づいて、２４．０℃〜２６．０℃および２８．０℃〜３０．０℃の各レンジには、１．０℃幅で増減するよう設定されている。また、２６．０℃〜２８．０℃のレンジには、０．５℃増減で増減するよう設定されている。
【００２９】
また、図４の設定画面には、現在の室内温度と設定温度など、設備制御システム５０から取得した設備や設定値に関する状況が表示されており、利用者操作を検出するための操作シンボルとして、完了ボタンとキャンセルボタンとが画面上端に配置されている。この完了ボタンの押下に応じて、ドラムで選択した新たな設定温度を含む設定変更指示が利用者端末２０のブラウザから設定値変更装置１０に通知されることになる。また、キャンセルボタンの押下に応じて、設定温度の変更処理が中止される。
【００３０】
端末処理部１４は、ＨＴＴＰなどの通信プロトコルに基づいて、設定画面生成部１３で生成した設定画面を、通信Ｉ／Ｆ部１１および通信ネットワークＮＷを介して利用者端末２０に配信する機能と、これに応じて利用者端末２０から返送された、新たな設定値を含む設定変更指示を受信する機能とを有している。
【００３１】
設定値変更部１５は、端末処理部１４で受信した設定変更指示に含まれる新たな設定値に基づいて、設備制御システム５０とやり取りするための設定変更メッセージを生成する機能と、生成した設定変更メッセージを通信Ｉ／Ｆ部１１および通信ネットワークＮＷを介して設備制御システム５０へ送信することにより、設備制御システム５０の設定値を新たな設定値へ変更する機能とを有している。
【００３２】
［第１の実施の形態の動作］
次に、図５を参照して、本実施の形態にかかる設定値変更装置１０の動作について説明する。図５は、第１の実施の形態にかかる設定値変更動作を示すシーケンス図である。
【００３３】
まず、利用者端末２０において、設備制御システム５０に設定されている設定値の変更を要求する操作が行われた場合（ステップ１００）、利用者端末２０から設定値変更装置１０に対して設定変更要求が通知される（ステップ１０１）。
設定値変更装置１０の設定画面生成部１３は、利用者端末２０からの設定変更要求に応じて、記憶部１２からレンジ情報を取得し（ステップ１０２）、このレンジ情報に基づいて、利用者端末２０で設定値を変更するための設定画面を生成する（ステップ１０３）。端末処理部１４は、生成した設定画面を利用者端末２０に配信する（ステップ１０４）。
【００３４】
これに応じて、利用者端末２０で設定値変更装置１０からの設定画面が表示され（ステップ１０５）、この設定画面上で利用者が新たな設定値を選択する（ステップ１０６）。この後、利用者の設定完了操作に応じて（ステップ１０７）、利用者端末２０から設定値変更装置１０に対して、新た設定値を含む設定変更指示が通知される（ステップ１０８）。
【００３５】
設定値変更装置１０の設定値変更部１５は、利用者端末２０からの設定変更指示に含まれる新たな設定値に基づいて設定変更メッセージを生成し（ステップ１０９）、設備制御システム５０へ送信する（ステップ１１０）。これにより、設備制御システム５０の設定値が設定変更メッセージで通知された新たな設定値に変更される（ステップ１１１）。
【００３６】
［第１の実施の形態の効果］
このように、本実施の形態は、設定画面生成部１３が、設定値の範囲を示すレンジごとに設定値の増減幅が登録されているレンジ情報に基づいて、利用者端末２０で設定値を変更するための設定画面を生成し、端末処理部１４が、生成した設定画面を利用者端末２０に配信するようにしたものである。この際、設定画面生成部１３が、設定画面での増減操作に応じて、設定画面に表示されている新たな設定値が、新たな設定値が属するレンジと対応する増減幅で増減する設定画面を生成するようにしたものである。
【００３７】
これにより、設定画面で操作選択する新たな設定値の増減幅を、レンジごとに任意に設定することができる。このため、例えば利用者の冷温感覚に応じて設けられている申告内容を用いて部屋の設定温度を変更する場合と比較して、きめ細かく設定温度を変更することができる。また、固定の増減幅で設定温度を選択する場合と比較して、特定のレンジでより細かく設定温度を変更することができる。したがって、利用者の意図に応じてきめ細かくかつ柔軟に設定値を変更することが可能となる。
【００３８】
また、本実施の形態において、レンジ情報に、レンジとして、設定値が選択される頻度の高い第１のレンジと、第１のレンジ以外の第２のレンジとを含み、第１のレンジに対応する第１の増減幅として、第２のレンジと対応する第２の増減幅より小さい増減幅を登録してもよい。これにより、利用者が頻繁に設定するレンジで、きめ細かく設定値を変更することができる。
【００３９】
また、本実施の形態において、レンジ情報を、利用者および／または設備ごとに、レンジと増減幅とを対応付けて登録するようにしてもよい。これにより、レンジと増減幅との対応関係として、利用者および／または設備に応じて最適な対応関係を利用することができる。
【００４０】
［第２の実施の形態］
次に、図６を参照して、本発明の第２の実施の形態にかかる設定値変更装置３０について説明する。図６は、第２の実施の形態にかかる設定値変更装置の構成を示すブロック図である。
本実施の形態にかかる設定値変更装置３０は、全体として利用者が使用するＰＣ、スマートホン、タブレットなどの情報通信端末からなり、第１の実施の形態にかかる設定値変更装置１０の一部構成を利用者端末２０に実装したものに相当する。
【００４１】
設定値変更装置３０には、主な機能部として、通信Ｉ／Ｆ部３１、記憶部３２、設定画面生成部３３、画面表示部３４、操作入力部３５、および設定値変更部３６が設けられている。これら機能部のうち、設定画面生成部３３、画面表示部３４、および設定値変更部３６は、ＣＰＵとプログラムとが協働してなる演算処理部により実現されている。プログラムは、例えばスマートホンやタブレットで実行されるアプリであってもよい。
【００４２】
通信Ｉ／Ｆ部３１は、通信ネットワークＮＷを介して設備制御システム５０とデータ通信を行う機能を有している。
記憶部３２は、ハードディスクや半導体メモリなどの記憶装置からなり、設定値変更装置３０で実行される設定値変更処理に用いる各種の処理情報やプログラムを記憶する機能を有している。記憶部３２で記憶する主な処理情報として、前述の図２で示したレンジ情報がある。
【００４３】
設定画面生成部３３は、操作入力部３５で検出した利用者の設定変更要求操作に応じて、記憶部３２からレンジ情報を取得し、このレンジ情報に基づいて、画面表示部３４で表示する、設定値を変更するための設定画面を生成する機能を有している。設定画面は、前述した図３や図４と同様である。
【００４４】
画面表示部３４は、ＬＣＤなどの画面表示装置からなり、設定画面などの各種画面を表示する機能を有している。
操作入力部３５は、キーボード、マウス、タッチパネルなどの操作入力装置からなり、利用者の操作を検出して出力する機能を有している。
【００４５】
設定値変更部３６は、設定画面で選択された新たな設定値に基づいて、設備制御システム５０とやり取りするための設定変更メッセージを生成する機能と、生成した設定変更メッセージを通信Ｉ／Ｆ部３１および通信ネットワークＮＷを介して設備制御システム５０へ送信することにより、設備制御システム５０の設定値を新たな設定値へ変更する機能とを有している。
【００４６】
［第２の実施の形態の動作］
次に、図７を参照して、本実施の形態にかかる設定値変更装置３０の動作について説明する。図７は、第２の実施の形態にかかる設定値変更動作を示すシーケンス図である。
【００４７】
まず、設定値変更装置３０において、設備制御システム５０に設定されている設定値の変更を要求する操作が操作入力部３５で検出された場合（ステップ２００）、設定画面生成部３３は、記憶部３２からレンジ情報を取得し（ステップ２０１）、このレンジ情報に基づいて、利用者端末２０で設定値を変更するための設定画面を生成する（ステップ２０２）。端末処理部１４は、生成した設定画面を画面表示部３４で画面表示する（ステップ２０３）。
【００４８】
これに応じて、設定画面上で利用者が新たな設定値を選択操作し（ステップ２０４）。この後、利用者の設定完了操作に応じて（ステップ２０５）、設定値変更部３６は、設定画面で選択された新たな設定値に基づいて設定変更メッセージを生成し（ステップ２０６）、設備制御システム５０へ送信する（ステップ２０７）。これにより、設備制御システム５０の設定値が設定変更メッセージで通知された新たな設定値に変更される（ステップ２０８）。
【００４９】
［第２の実施の形態の効果］
このように、本実施の形態は、設定画面生成部３３が、設定値の範囲を示すレンジごとに設定値の増減幅が登録されているレンジ情報に基づいて、設定値を変更するための設定画面を生成して画面表示部３４で表示するようにしたものである。この際、設定画面生成部３３が、設定画面での増減操作に応じて、設定画面に表示されている新たな設定値が、新たな設定値が属するレンジと対応する増減幅で増減する設定画面を生成するようにしたものである。
【００５０】
これにより、利用者が使用する利用者端末に相当する設定値変更装置３０で、第１の実施の形態と同様に、設定画面で操作選択する新たな設定値の増減幅を、レンジごとに任意に設定することができる。したがって、利用者の意図に応じてきめ細かくかつ柔軟に設定値を変更することが可能となる。
【００５１】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００５２】
１０，３０…設定値変更装置、１１，３１…通信Ｉ／Ｆ部、１２，３２…記憶部、１３，３３…設定画面生成部、１４…端末処理部、１５，３６…設定値変更部、２０…利用者端末、３４…画面表示部、３５…操作入力部、５０…設備制御システム、ＮＷ…通信ネットワーク。
【図１】
2018179473.tif 000003
【図２】
2018179473.tif 000004
【図３】
2018179473.tif 000005
【図４】
2018179473.tif 000006
【図５】
2018179473.tif 000007
【図６】
2018179473.tif 000008
【図７】
2018179473.tif 000009